(57)【要約】【課題】  従来の上り回路の温度補償回路は同軸ケーブルの長さが違うとレベル変動を調整しきれない。下り回路と上り回路の夫々に温度補償回路を設けているため回路構成が複雑になる。上り回線の温度補償が下り回線の温度補償に比べると劣る。【解決手段】  ＣＡＴＶ機器の下り入力端と下り入力側分波フィルタ（上り出力側分波フィルタ）との間に、下り信号の一部または下り信号と共に送られるパイロット信号を取出してそのレベルを検知し、そのレベルに基づいて下り信号レベルを調整して、入力端側の同軸ケーブルの温度特性に起因する入力信号のレベル変動を自動的に補償する温度補償回路を設けた。【選択図】      図１
2005033726.tif 000002
【特許請求の範囲】
【請求項１】
ＣＡＴＶ機器の下り入力端と、下り入力側分波フィルタ（上り出力側分波フィルタ）との間に、下り信号の一部または下り信号と共に送られるパイロット信号を取出してそのレベルを検知し、そのレベルに基づいて下り信号レベルを調整して、入力端側の同軸ケーブルの温度特性に起因する入力信号のレベル変動を自動的に補償する温度補償回路を設けたことを特徴とする温度補償回路を備えたＣＡＴＶ用機器。
【発明の詳細な説明】
【技術分野】
【０００１】
本発明はＣＡＴＶ用増幅器、タップオフといった各種のＣＡＴＶ用機器に関するものである。
【背景技術】
【０００２】
ＣＡＴＶ用機器には増幅器、分岐器といった各種機器がある。その一つとして図２に示す増幅器がある。図２の増幅器の下り入力端１に同軸ケーブルから入力される下り信号の入力レベルは、下り入力端１側に接続されている同軸ケーブルの温度特性に起因して変動する。その変動は夏期（高温時）は低く、冬期（低温時）は高い。この変動は下り信号にＡＧＣ回路２５によりによりレベル調整されて、下り出力端１２の出力レベルが一定に保たれるようにしてある。図２において、パイロット信号を含む下り信号は、下り回線２０のプラグイン３、増幅器４、ツイスト・ゲインコントローラ（ＴＷＩＳＴ・ＧＣ）５、増幅器６を経て分岐器７により分岐され、分岐された信号中のパイロット信号がバンドパスフィルタ（ＢＰＦ）８を通過し、そのパイロット信号が増幅器９により増幅され、検波器（ディテクタ：ＤＥＴ）１０により検波され、このパイロット信号のレベルに基づいて下り信号がレベル調整される。
【発明の開示】
【発明が解決しようとする課題】
【０００３】
しかし、出力レベルは一定でも、ＣＡＴＶ機器内部の初段増幅器（図２の下り回線２０では４、上り回線２１では１３）に入力されるレベルが外気温度により変動するため、その変動に伴って歪やＣＮ特性といった各種特性が変化する。ちなみに、入力レベルが低下するとＣ／Ｎが悪化し、入力レベルが高くなると歪が悪化する。この特性変化の悪影響は上り信号においても同様である。
【０００４】
図２における上り回線２１は、上り入力端（下り出力端）１２、上り入力側分波フィルタ（下り出力側分波フィルタ）１１、初段の上り増幅器１３、サーミスタの温度特性を利用したサーマル・ゲインコントローラ（ＴＨ・ＧＣ）１４、後段の上り増幅器１５、上りプラグイン１６、上り出力側分波フィルタ（下り入力側分波フィルタ）２により構成されている。
【０００５】
前記のように、上り回線２１にはＡＧＣ回路を設けないことが多く、サーマル・ゲインコントローラ（ＴＨ・ＧＣ）１４により利得調整している。この場合、ＴＨ・ＧＣ１４に同軸ケーブルの長さ（例えば２００ｍ）の温度特性と逆の特性をＣＡＴＶ機器に持たせてあるため、同軸ケーブルの長さが違うと（例えば、１００ｍ、３００ｍの場合）レベル変動を調整しきれず、歪、ＣＮ特性といった各種性能が満足されない。しかも、図２では下り回線２０と上り回線２１に別々に同軸ケーブルの温度特性を補償する回路を設けてあるため回路構成が複雑になる。しかも、上り回線２１における同軸ケーブルの温度補償はＴＨ・ＧＣ１４により行われるため、下り回線２０における同軸ケーブルの温度補償に比べると劣っている。
【課題を解決するための手段】
【０００６】
本発明はＣＡＴＶ用機器に接続された同軸ケーブルの温度特性に起因して生ずる入力信号のレベル変動を自動的に補償できるようにしたＣＡＴＶ用機器に関するものである。
【０００７】
本発明の温度補償回路を備えたＣＡＴＶ用機器は、ＣＡＴＶ機器の下り入力端１と、下り入力側分波フィルタ（上り出力側分波フィルタ）２との間に、下り信号の一部または下り信号と共に送られるパイロット信号を取出してそのレベルを検知し、そのレベルに基づいて下り信号レベルを調整して、入力端側の同軸ケーブルの温度特性に起因する入力信号のレベル変動を自動的に補償する温度補償回路３０を設けたものである。
【発明の効果】
【０００８】
本発明の温度補償回路を備えたＣＡＴＶ用機器は次のような効果がある。
１．下り入力端に入力された下り信号は、ＣＡＴＶ用機器の入力端に接続されている同軸ケーブルの温度特性に起因するレベル変動が温度補償回路により補償されてから入力側の分波フィルタに入力され、下り出力端（上り入力端）から出力されるので、季節（温度）に関わらず、レベルの安定した下り信号を供給できる。
２．同軸ケーブルの温度特性に起因するレベル変動が温度補償回路により補償されるので、温度補償回路による補償が下り信号だけなく、上り信号のレベルの安定化にも寄与する。
３．前記２のように、一つの温度補償回路で下り・上り両信号の温度補償ができるため、従来の同種のＣＡＴＶ機器に比して回路構成が簡略化される。
４．温度補償回路が同軸ケーブルの特性（周波数が高い程減衰量が大きい）を有しているため、従来のサーミスタを用いた回路よりも温度補償精度が良くなる。
【発明を実施するための最良の形態】
【０００９】
本発明の温度補償回路を備えたＣＡＴＶ用機器の実施の形態を図１を参照して説明する。図１のＣＡＴＶ用機器は増幅器であり、下り入力端１と下り入力側分波フィルタ（上り出力側分波フィルタ）２の間に温度補償回路３０が挿入されている。その温度補償回路３０は下り入力端（上り出力端）１から入力する下り信号のレベルを制御するものであり、ツイスト・ゲインコントローラ（ＴＷＩＳＴ・ＧＣ）５、下り信号の一部を分岐して取出す分岐器７、分岐器７で分岐された下り信号からパイロット信号を抽出するためのバンドパスフィルタ（ＢＰＦ）８、増幅器で増幅されたパイロット信号を検出する検波器（ディテクタ：ＤＥＴ）１０により構成されている。ＴＷＩＳＴ・ＧＣ５は同軸ケーブルの特性（周波数が高い程減衰量が大きい）を有するものにしてある。
【００１０】
図１のＣＡＴＶ用機器は、分岐器７の後に下り入力側分波フィルタ（上り出力側分波フィルタ）２を備えており、そのフィルタ２の後段に下り回線２０があり、その下り回線２０は下りプラグイン３、下り増幅器（初段）４、下り増幅器（後段）６、下り出力側分波フィルタ（上り入力側分波フィルタ）１１、下り出力端（上り入力端）１２により構成されている。
【００１１】
図１のＣＡＴＶ用機器の上り回線２１は、上り入力端（下り出力端）１２、上り入力側分波フィルタ（下り出力側分波フィルタ）１１、初段の上り増幅器１３、後段の上り増幅器１５、上りプラグイン１６、上り出力側分波フィルタ（下り入力側分波フィルタ）２により構成されている。
【００１２】
図１の温度補償回路を備えたＣＡＴＶ用機器において、下り信号の流れは次のようになる。
（１）下り信号が下り入力端（上り出力端）１に入力される。
（２）下り信号はＴＷＩＳＴ・ＧＣ５を通り、下り信号の一部が分岐器７で分岐される。
（３）下り信号に含まれるパイロット信号のみが、ＡＧＣ回路を構成するＢＰＦ８を通過し、増幅器９で増幅される。
（４）検波器（ＤＥＴ）１０でパイロット信号が検出され、パイロット信号（下り信号）が所定レベルとなるようにＴＷＩＳＴ・ＧＣ５を制御する。即ち、温度補償回路３０により、入力端１に接続されている同軸ケーブルの減衰量の変化をＴＷＩＳＴ・ＧＣ５で制御して、下り信号（入力信号）を自動的に一定レベルに調整し、下り入力側分波フィルタ（上り出力側分波フィルタ）２に入力する。
（５）下り信号は下り入力側分波フィルタ（上り出力側分波フィルタ）２で下り回線２０に分波され、下りプラグイン３で標準入力レベルに調整される。
（６）下り増幅器（初段）４、下り増幅器（後段）６で増幅された信号が、下り出力側分波フィルタ（上り入力側分波フィルタ）１１で分波されて下り出力端１２から出力される。
（７）上記（１）〜（６）により、下り入力端１に接続されている同軸ケーブルの温度特性に起因して同軸ケーブルでの減衰量が変化しても、下り出力端１２から入力された信号は規定レベルに一定に制御される。即ち、下り信号は下り入力端１に接続されている同軸ケーブルの温度特性に起因するレベル変動が補償されてから下り入力側分波フィルタ２に入力され、更に、ＴＷＩＳＴ・ＧＣ５でレベル調整されるので、下り出力端（上り入力端）１２から出力される下り信号は常に一定レベルとなる。
【００１３】
図１の温度補償回路を備えたＣＡＴＶ用機器において、上り信号の流れは次のようになる。
（１）上り信号が上り入力端（下り出力端）１２に入力される。
（２）上り入力側分波フィルタ（下り出力側分波フィルタ）１１で上り方向に分波され、初段の上り増幅器１３、後段の上り増幅器１５で増幅され、上りプラグイン１６でレベル調整され、上り出力側分波フィルタ（下り入力側分波フィルタ）２、分岐器７、ＴＷＩＳＴ・ＧＣ５を通過して、上り出力端（下り入力端）１から出力される。この場合、上りプラグイン１６では、上り出力端１から出力される上り信号が図２の増幅器の前段の増幅器の標準入力レベルになるようにレベル調整される。
（３）前記（４）に記述したように、同軸ケーブルの減衰量の変化はＴＷＩＳＴ・ＧＣ５で制御しているため、上り出力端１から出力された上り信号が入力される前段の増幅器の標準入力レベルは常に一定となる。
【図面の簡単な説明】
【００１４】
【図１】本発明の温度補償回路付きＣＡＴＶ用機器の一例を示す回路図。
【図２】従来のＣＡＴＶ用機器の一例を示す回路図。
【符号の説明】
【００１５】
１    下り入力端（上り出力端）
２    下り入力側分波フィルタ（上り出力側分波フィルタ）
３    下りプラグイン
４    下り増幅器（初段）
５    ＴＷＩＳＴ・ＧＣ
６    下り増幅器（後段）
７    分岐器
８    パイロット信号抽出用ＢＰＦ
９    増幅器
１０  検波器
１１  上り入力側分波フィルタ（下り出力側分波フィルタ）
１２  下り出力端（上り入力端）
１３  上り増幅器（初段）
１４  ＴＨ・ＧＣ
１５  上り増幅器（後段）
１６  上りプラグイン
２０  下り回線
２１  上り回線
２５  ＡＧＣ回路
３０  温度補償回路
【図１】
2005033726.tif 000003
【図２】
2005033726.tif 000004